(57)【特許請求の範囲】
【請求項１】
入力手段と、演奏曲リスト記憶手段と、無線送信手段と、制御手段と、登録記憶手段とを備えるカラオケ装置のリモコンであって、
入力手段は、利用者曲登録番号と、カラオケ機種と、曲番号を入力可能とし、
演奏曲リスト記憶手段は、カラオケ機種と曲番号とを演奏曲名毎に対応付けた演奏曲リストを記憶し、
無線送信手段は、制御手段の制御に従って曲番号をカラオケ装置に送信し、
前記制御手段は、登録処理と、第１−３処理からなる選曲処理を可能とし、
その登録処理は、入力された曲番号とカラオケ機種と利用者曲登録番号を対応付けて登録記憶手段に記憶させ、
選曲処理の第１処理は、入力された所望の利用者曲登録番号に対応するカラオケ機種と曲番号を登録記憶手段から読み出し、
第２処理は、読み出したカラオケ機種と曲番号に対応する、入力されたカラオケ機種における演奏曲の曲番号を、機種別演奏曲リストを参照して検索し、
第３処理は、検索された曲番号を無線送信手段に送信させる
カラオケ装置のリモコン。
【請求項２】
第３処理は、検索された曲番号を、入力されたカラオケ機種に対応するデータ伝送方式にて無線送信手段に送信させる
請求項１に記載のカラオケ装置のリモコン。
【請求項３】
曲名表示部をさらに備え、
演奏曲リストは、曲名も演奏曲毎に対応付けて記憶し、
制御手段は、演奏曲リストを参照して、登録記憶手段に記憶された利用者曲番号と、それに対応する曲名を曲名表示部に表示させる
請求項１又は２に記載のカラオケ装置のリモコン。
【発明の詳細な説明】
【０００１】
【発明の属する技術分野】
本発明は、カラオケ装置の操作あるいは選曲等に使用されるリモコンに関する。
【０００２】
【従来の技術】
従来、所定の演奏曲を選択するとスピーカから曲が流れ、曲の歌詞テロップが画面表示されるカラオケ装置が、例えばスナックやカラオケボックス等に設置されて人気を博している。このようなカラオケ装置においては、選曲や音量ないし音程の調整などの操作をリモコンを使用して行うことが多い。
【０００３】
【発明が解決しようとする課題】
ところで、上述のようなカラオケ装置のリモコンは、カラオケ装置の機種あるいはメーカー毎に操作方法が異なるのが通常である。従って、カラオケボックス等に設置されているカラオケ装置が初めて使用する機種である場合、利用者は、まずリモコン装置の操作を習得する必要がある。特に、何件かの店でカラオケを楽しみたい場合に装置の機種が異なっていれば、その度にリモコン装置の操作を修得しなければならず極めて面倒である。また、各演奏曲にはカラオケ装置の機種によってまちまちな曲番号が付与されており、同じ曲を歌う場合でも曲目リストで曲番号をいちいち確認する必要があった。そして、このようにして利用者が、リモコンの操作法の修得と曲目リストの参照に没頭する結果、本来は楽しいはずのカラオケボックス内が重苦しい静寂に包まれることも少なくない。
【０００４】
本発明の課題は、複数機種のカラオケ装置に対し共通に使用可能で、しかも利用者固有の番号等で演奏曲の登録ができるリモコンを提供することにある。
【０００５】
【課題を解決するための手段及び作用・効果】
本発明は、複数機種のカラオケ装置に対し共通に使用可能なリモコンに係り、上述の課題を解決するために下記の要件を備えて構成されることを特徴とする。
(1)機種選択手段：カラオケ装置の機種を選択する。
(2)演奏曲リスト記憶手段：カラオケ装置の各機種毎の演奏曲リストを記憶する。
(3)演奏曲登録手段：所望の演奏曲を登録する。
(4)演奏曲選択手段：登録された演奏曲を選択する。
(5)演奏曲検索手段：カラオケ装置の機種と演奏曲とが選択されることにより、該機種に対応する演奏曲リストにおいてその演奏曲を検索する。
(6)無線送信手段：検索された演奏曲を特定するための曲特定情報を、選択されたカラオケ装置に対し無線送信する。
【０００６】
上述のようなリモコンによれば、好みの曲を演奏曲登録手段に予め登録しておくことができる。そして、カラオケボックス等でカラオケ装置を利用する際には、設置されている装置の機種を機種選択手段により選択した後に、その登録された演奏曲を演奏曲選択手段により選択すれば、演奏曲検索手段が、演奏曲リスト記憶手段に記憶されている演奏曲リストのうち、選択された機種に対応するものにおいて演奏曲の検索を行い、その曲特定情報がカラオケ装置に対し無線送信される。すなわち、該リモコンは、機種選択手段により選択可能なものである限り、どのようなカラオケ装置の機種に対しても共通に使用できるので、利用者は、機種毎にリモコンの操作法を修得する煩わしさから解放される。また、演奏曲の登録が可能であるため、登録された曲については曲目リストを参照しなくても手軽に選曲することができる。
【０００７】
ここで、カラオケ装置の各機種においては、リモコンから上記曲特定情報を送信するためのデータ送信方式が、少なくともその一部の機種同士の間で互いに異なるものとされている場合が少なくない。そこで上記リモコンには、それら各機種に対応して一対一で定まるデータ送信方式のうち、選択された機種に対応するものを選択するデータ送信方式選択手段と、その選択されたデータ送信方式に基づいて、曲特定情報を無線送信手段に無線送信させる送信制御手段とを備えたものとして構成することができる。こうすれば、データ送信方式が異なる機種に対しても、共通に使用可能なリモコンを構成することができる。
【０００８】
上述のリモコンには、演奏曲登録手段の登録内容を表示する登録内容表示部を設けることができる。これにより、登録内容を随時確認することができるので、登録曲の選択をさらに容易に行うことができる。
【０００９】
【発明の実施の形態】
以下、本発明の実施の形態について、図面に示す実施例により説明する。
図１（ａ）は、本発明を実施したパーソナルリモコンの一例を示す外観図である。パーソナルリモコン１は、偏平箱状に形成された第一本体部２０、同じく第二本体部３０、それら第一及び第二本体部２０及び３０が取り付けられるベース部４０等を備えている。このパーソナルリモコンは、利用者が個人単位で所持し、使用されるものである。ベース部４０は、柔軟樹脂材料等により可橈性を有するシート状ないし板状に構成されており、同図（ｂ）に示すように、第二本体部３０を第一本体部２０に重ねるようにして折り畳むことができるようになっている。また、第一本体部２０と第二本体部３０とをつなぐ結線部４１は、該ベース部４０内を通されている。
【００１０】
次に、第一本体部２０には、無線送信部としての赤外線発光部２２、入力部２５、液晶ディスプレイ等で構成される入力表示部２４が設けられている。入力部２５は、機種選択ボタン２６、番号ボタン２７及び登録ボタン２８等の各種操作ボタンで構成されている。機種選択ボタン２６は、パーソナルリモコン１が使用可能なカラオケ装置の機種に一対一に対応して設けられている（本実施例では、Ａ〜Ｆの６機種）。一方、第二本体部３０には液晶ディスプレイ等で構成された登録表示部３２（登録内容表示部）が設けられている。この登録表示部３２には、各登録番号と一対一に対応する曲名表示部３５が形成されている。
【００１１】
図２は、パーソナルリモコン１の内部構成を示しており、Ｉ／Ｏポート１５と、これに接続されるＣＰＵ１１、ＲＡＭ１２、ＲＯＭ１３等を含む制御部１０が第一本体部２０内に設けられている。そのＩ／Ｏポート１５には、送信制御部２１、表示制御部２３及び前述の入力部２５が接続されている。また、送信制御部２１には前述の赤外線発光部２２が、表示制御部２３には前述の入力表示部２４がそれぞれつながれる。なお、赤外線発光部２２は近赤外線発光ダイオード等で構成されており、曲番号のデータを赤外線パルスによりカラオケ装置側へ送信する役割を果たす。一方、第二本体部３０内には、前述の登録表示部３２が接続される表示制御部３１が設けられており、結線部４１によりＩ／Ｏポート１５につながれている。
【００１２】
次に、ＲＯＭ１３には、下記のプログラム及びデータが格納されている。
(1)登録プログラム１３ａ：入力部２５からの入力内容に基づいて、所望の演奏曲を登録番号と対応付けて登録する処理を行う。
(2)選曲プログラム１３ｂ：登録番号の入力により、登録曲の選択（選曲）処理を行う。
(3)機種別演奏曲リスト１３ｃ：カラオケ装置の機種毎の演奏曲リスト。図３にその一例を示すように、各演奏曲の曲名５０が、機種（Ａ〜Ｆ）毎の曲番号５１と対応付けて記憶されている。
(4)送信方式選択プログラム１３ｄ：選択された機種に対応する、赤外線発光部２２からのデータ送信方式を選択する。
【００１３】
また、登録記憶部１４は、バックアップ電源（図示せず）付きのＲＡＭ等で構成されており、演奏曲の登録内容を記憶する。その記憶内容の一例を図４に示しており、登録曲の曲名６１が、カラオケ装置の機種６３、その機種に対応する曲番号６２、及び登録番号６４と対応付けて記憶されている。
【００１４】
以下、パーソナルリモコン１の使用方法について説明する。
まず、パーソナルリモコン１に演奏曲を登録する方法について、その処理の流れを図５のフローチャートに示す。すなわちR1において、まず登録ボタン２８を押すことにより登録モードとし、続いて登録番号を番号ボタン２７を用いて入力する（R2）。次に、R3において、入力された登録番号において演奏曲が登録済でない場合には、カラオケ装置の機種を機種選択ボタン２６を用いて入力し、続いて所望の演奏曲のその機種における曲番号を入力する（R4、R5）。これら入力内容は、入力部２５のボタンを操作する毎に入力表示部２４にその都度表示され、確定ボタン２９（図１）を押すことにより確定される。
【００１５】
機種と曲番号の入力を確定した時点で入力表示部２４には、登録を実行するか否かを確認するメッセージが表示され、実行する場合は確定ボタン２９を再度押すことで登録確定処理が行われる。すなわち、上記入力された機種と曲番号により曲名５０が機種別演奏曲リスト１３ｃ（図３）において検索され、さらにその検索された曲名が、上記機種及び曲番号と対応付けられて、図４に示すように、登録記憶部１４（図２）に格納・登録される（R7）。また、登録された演奏曲の曲名が、登録表示部３２において、対応する登録番号の曲名表示部３５に表示される。一方、登録をやり直す場合には、所定の入力を行うことでR4に戻り、機種と曲番号の入力をやり直す。一方、R3において、入力された登録番号において演奏曲が登録済の場合には、入力表示部２４にその登録内容が表示される。利用者はこれを見て登録の更新をするか否かを選択し（R9）、更新する場合はR4以下の処理となる。この場合、新規の登録内容が古い登録内容に上書きされる。一方、更新しない場合には、R2に戻って登録番号を入力し直す。
【００１６】
以上が登録処理の概要である。すなわち利用者は、パーソナルリモコン１を携帯してカラオケボックス等へ赴き、そこに設置されているカラオケ装置の演奏曲リストを参照して、演奏曲の登録を上記手順に従い実行すればよいのである。
【００１７】
次に、登録内容に基づき選曲を行う場合の処理について、図６のフローチャートを用いて説明する。まずS1において所望の演奏曲の登録番号を入力し、続いてS2においてカラオケ装置の機種を選択することにより、登録記憶部１４から指定された登録内容が読み出される（S3）。前述の通り、演奏曲は特定の機種の曲番号と対応付けて登録されているので、機種別演奏曲リスト１３ｃ（図３）を参照して、その演奏曲の入力された機種における曲番号が検索される（S4）。
【００１８】
続いて、その選択された機種のデータ送信方式が選択される。すなわち、曲番号はコード化されて、パルス信号により赤外線発光部２２からカラオケ装置に向けて送信されるのであるが、カラオケ装置の機種により、そのパルス長やパルス間隔が異なっていたり、さらには機種特定のためのコード受信を前提として赤外線パルス信号の受付けを開始するなど、そのデータの送信方式が異なっている場合がある。そこで、前述の送信方式選択プログラム１３ｄ（図２）に基づき、その機種に対応するデータ送信方式が選択され、送信制御部２１に所定の指令が発せられる。送信制御部２１はこの指令を受けて赤外線発光部２２に対し、上記曲番号コードを指定された方式によりカラオケ装置に向けて無線送信させる（S6）。
【００１９】
図７に示すように、カラオケ装置１０１は、パーソナルリモコン１からの曲番号コードを受信部４ｂで受信し、その曲番号で指定される演奏曲の演奏音を、アンプミキサ８を介してスピーカ６から出力させるとともに、歌詞テロップをモニタ７に表示する。利用者は、その歌詞テロップを見ながらマイク５を用いて歌唱を楽しむこととなる。
【００２０】
なお、図２のＲＯＭ１３に書き込まれている送信方式選択プログラム１３ｄは、ＲＯＭ１３とは別に設けられたＥＰＲＯＭ（イレーサブル・プログラマブルＲＯＭ）４３に格納する構成とすることができる。すなわち、新しい機種のカラオケ装置が出現したり、あるいは仕様変更が行われたりした場合等において、ＲＯＭライター等を用いて送信方式選択プログラム１３ｄを書き換えることにより、パーソナルリモコン１をそれら新機種ないし変更後の仕様に対応できるものとすることができる。また、機種別演奏曲リスト１３ｃも同様にＥＰＲＯＭ４３に格納することができる。これにより、上記新機種に対応する演奏曲リストを追加したり、あるいは既存の機種に対応する演奏曲リストの内容変更（例えば新曲の追加等）等を容易に行うことができる。なお、ＥＰＲＯＭ４３は、パーソナルリモコン１に対し着脱可能に構成することができる。一方、ＥＰＲＯＭ４３に代えて通常の書換え不能のＲＯＭ（マスクＲＯＭ等）を使用し、そのＲＯＭを交換することにより、送信方式選択プログラム１３ｄ及び／又は機種別演奏曲リスト１３ｃの内容変更あるいは追加等を行う構成としてもよい。ここで、図１において、機種選択ボタン２６にいくつかの空きボタン２６ａを設けておけば、上記プログラム及び／又は演奏曲リストの変更もしくは追加により、対応できるカラオケ装置の機種の数が増えた場合に、その増えた機種を上記空きボタン２６ａに割り振ることができる。
【図面の簡単な説明】
【図１】  本発明の一例としてのパーソナルリモコンの外観を示す正面図及び底面図。
【図２】  図１のパーソナルリモコンのブロック図。
【図３】  機種別演奏曲リストの内容の一例を示す説明図。
【図４】  登録記憶部における登録内容の一例を示す説明図。
【図５】  演奏曲の登録処理の流れを示すフローチャート。
【図６】  同じく選曲処理の流れを示すフローチャート。
【図７】  カラオケ装置に対するパーソナルリモコンの使用方法を示す模式図。
【符号の説明】
１  パーソナルリモコン
１０  制御部（演奏曲検索手段、データ送信方式選択手段）
１３  ＲＯＭ（演奏曲リスト記憶手段）
１４  登録記憶部（演奏曲登録手段）
２１  送信制御部（送信制御手段）
２２  赤外線発光部（無線送信手段）
２５  入力部（演奏曲選択手段、機種選択手段）
３２  登録表示部（登録内容表示部）
１０１  カラオケ装置
【図１】
0003682327.tif 000002
【図２】
0003682327.tif 000003
【図３】
0003682327.tif 000004
【図４】
0003682327.tif 000005
【図５】
0003682327.tif 000006
【図６】
0003682327.tif 000007
【図７】
0003682327.tif 000008